(57)【特許請求の範囲】
【請求項１】
操向操作を行う略円形のハンドル（１６）の前後方向の半分より略前方部を除去し、除去して残ったハンドル握り部の左右両先端に、該ハンドル（１６）の内側に向けて張り出した張り出し部（２５）を設け、前記張り出し部（２５）の一方または両方に平面状のスペースを設け、該スペースに矩形状の凹みを設け、該凹みに各種作業機構の操作を行う作業スイッチ（２７）を設け、該作業スイッチ（２７）を設けた張り出し部（２５）の表面外側方に、運転者が親指を置く指置き部（２９）を形成し、該指置き部（２９）に親指を置き、他の指で該ハンドル（１６）の後ろから掴むように構成し、前記ハンドル（１６）の前後方向の半分より後方の、該ハンドル（１６）の握り部において、該ハンドル（１６）握り部の左右の角部に、弧状のふくらみ（３１・３１）を構成し、該ふくらみ（３１）の場所の径の太さ（Ｙ）を、他の場所のハンドル握り部の径の太さ（Ｘ）よりも大きく構成し、該ハンドル（１６）の外側へもふくらみ（３１・３１）をもたせるように構成したことを特徴とする操向用ハンドル構造
【請求項２】
前記作業スイッチ（２７）の上端が側面断面視にてハンドル（１６）の本体より突出しないように構成したこと特徴とする請求項１記載の操向用ハンドル構造
【発明の詳細な説明】
【技術分野】
【０００１】
本発明は、コンバイン等の作業車両の機体の進路を操向操作する、操向操作具の技術に関する。
【背景技術】
【０００２】
コンバイン等の作業車両の進路を変更するには、左右のクローラ式走行装置を互いに逆方向に回転させて旋回するスピンターンがある。
【０００３】
従来、これらの旋回操作は操向レバーを傾動して行っていたが、操作を自動車と同等の感覚にして操作荷重を少なくする為に、丸型ハンドルの操向操作具が使用されるコンバインが公知となっている（例えば、特許文献１参照）。
【特許文献１】特開平９−２４８０３９号公報
【発明の開示】
【発明が解決しようとする課題】
【０００４】
しかし、従来の回転式操向ハンドルは、その形状を略円形状としていたために、作業時において、運転者が運転シートに座って走行しながら運転部前方の刈取部を見て、圃場の穀桿の未刈部と刈取収穫物の流れを確認する場合、丸型ハンドルが運転者の視線の前方に位置し、視界を遮り作業しづらくなるといった問題もあった。具体的には、左旋回する際、図６に示すように、運転者の身長・姿勢によっては、丸型ハンドル１６Ａを回すとハンドル前方部が邪魔になり運転部前方の刈取部３が見えず、穀桿等の刈り残しを視認・確認できないことがあった。特にコンバインの場合には、通例、刈取部が左で運転席が右に配置される構成のため、機体の左側に存在する未刈穀稈を順次刈り取っていくものであり、右分草板より右側へはみだした未刈穀稈は刈り残しとなってしまう。つまり、右分草板４Ｒが見えないと、刈り残しを発生させる恐れがある。
【０００５】
以上の不具合を解消すべく、本発明は、機体前部の視認性の優れた構造の操向用ハンドルを提供する。
【課題を解決するための手段】
【０００６】
本発明の解決しようとする課題は以上の如くであり、次にこの課題を解決するための手段を説明する。
【０００７】
請求項１においては、操向操作を行う略円形のハンドル（１６）の前後方向の半分より略前方部を除去し、除去して残ったハンドル握り部の左右両先端に、該ハンドル（１６）の内側に向けて張り出した張り出し部（２５）を設け、前記張り出し部（２５）の一方または両方に平面状のスペースを設け、該スペースに矩形状の凹みを設け、該凹みに各種作業機構の操作を行う作業スイッチ（２７）を設け、該作業スイッチ（２７）を設けた張り出し部（２５）の表面外側方に、運転者が親指を置く指置き部（２９）を形成し、該指置き部（２９）に親指を置き、他の指で該ハンドル（１６）の後ろから掴むように構成し、前記ハンドル（１６）の前後方向の半分より後方の、該ハンドル（１６）の握り部において、該ハンドル（１６）握り部の左右の角部に、弧状のふくらみ（３１・３１）を構成し、該ふくらみ（３１）の場所の径の太さ（Ｙ）を、他の場所のハンドル握り部の径の太さ（Ｘ）よりも大きく構成し、該ハンドル（１６）の外側へもふくらみ（３１・３１）をもたせるように構成したものである。
【０００８】
請求項２においては、前記作業スイッチ（２７）の上端が側面断面視にてハンドル（１６）の本体より突出しないように構成したものである。
【発明の効果】
【０００９】
本発明の効果として、以下に示すような効果を奏する。
【００１０】
請求項１においては、操向操作を行う略円形のハンドル（１６）の前後方向の半分より略前方部を除去し、除去して残ったハンドル握り部の左右両先端に、該ハンドル（１６）の内側に向けて張り出した張り出し部（２５）を設け、前記張り出し部（２５）の一方または両方に平面状のスペースを設け、該スペースに矩形状の凹みを設け、該凹みに各種作業機構の操作を行う作業スイッチ（２７）を設け、該作業スイッチ（２７）を設けた張り出し部（２５）の表面外側方に、運転者が親指を置く指置き部（２９）を形成し、該指置き部（２９）に親指を置き、他の指で該ハンドル（１６）の後ろから掴むように構成したので、操向ハンドルの前方部が除去されたことにより、運転者から見て前方の視界が広くなるので、運転者が運転シートに座って走行しながらも機体前部を確認し易くなり、作業効率が向上するのである。
また、ハンドルの左右前端部に設けられ、ハンドル内側に張り出された張り出し部が、ハンドル操作時の手の抜け防止の効果を奏する。
また、指置き部に親指を置き、他の指でハンドルの後ろから掴むことで、ハンドルをしっかり握ることができる。加えて、ハンドルを握る位置や握り方が分かりやすい。
また、ハンドルを握りながら作業中に、ハンドルから手を離してサイドコラム上の作業レバーに手を移さなくても、ハンドルを握りながら作業スイッチを操作することにより、作業操作を容易にし作業の対応性を向上させることができる。
【００１１】
また、前記ハンドル（１６）の前後方向の半分より後方の、該ハンドル（１６）の握り部において、該ハンドル（１６）握り部の左右の角部に、弧状のふくらみ（３１・３１）を構成し、該ふくらみ（３１）の場所の径の太さ（Ｙ）を、他の場所のハンドル握り部の径の太さ（Ｘ）よりも大きく構成し、該ハンドル（１６）の外側へもふくらみ（３１・３１）をもたせるように構成したので、手の持つ位置が決めやすく、ハンドルをしっかり握ることができる。
【００１２】
請求項２においては、前記作業スイッチ（２７）の上端が側面断面視にてハンドル（１６）の本体より突出しないように構成したので、作業スイッチの誤操作を防ぐことができる。
【発明を実施するための最良の形態】
【００１３】
次に、発明の実施の形態を説明する。
【００１４】
以下、作業車両の一例としてコンバインについて説明する。
【００１５】
図１は本発明に係るコンバインの全体構成を示す側面図、図２は同じく平面図、図３は本発明に係るハンドルの説明図、図４は従来のハンドルと本発明のハンドルの比較図である。
【００１６】
図５は図３のＡ−Ａ断面図、図６は従来のハンドルを具備したコンバインの運転シートに着座したときの運転者の前方視点説明図である。
【００１７】
まず、本発明の前方部を除去したハンドルを具備する、コンバインの全体構成について、図１、若しくは図２を用いて説明する。本発明に係るコンバインにおいて、クローラ式走行装置１上には機体フレーム２が載置され、この機体フレーム２の前端には刈取部３が昇降可能に配設されている。この刈取部３の前端からは穀稈を分草するための分草板４Ｌ・４Ｒが突出しており、この分草板４Ｌ・４Ｒの後部には引起しケース５（引起し装置）が立設されている。そして、引起しケース５からはタイン６が突出しており、このタイン６の回転により穀稈を引き起し、前記分草板４Ｌ・４Ｒ後部に配設される刈刃７により穀稈の株元を刈り取る構成となっている。刈り取られた穀稈は、下部搬送装置８ａ、上部搬送装置８ｂ、縦搬送装置８ｃにより後方へ搬送され、株元が縦搬送装置８ｃの上後端からフィードチェーン９に受け継がれて脱穀部１２内に搬送される。フィードチェーン９の後端には排藁チェーン１０が配設されており、この排藁チェーン１０の後部下方には排藁カッター装置、拡散コンベア等からなる排藁処理部１１が形成されている。この排藁処理部１１により、排藁を切断して藁片にした後、拡散しながら圃場に均一放出、あるいは切断せずに放出するようにしている。
【００１８】
前記脱穀部１２の下方には選別部が配設されており、該選別部によって脱穀部１２から流下する穀粒や藁屑などから穀粒を選別し、選別後の穀粒を脱穀部１２の側方に配設されるグレンタンク１３に搬送して貯溜したり、藁屑などを機外に排出したりするようにしている。このグレンタンク１３後方には穀粒排出装置１５が構成されて縦排出オーガ１７が立設されている。この縦排出オーガ１７を中心にしてグレンタンク１３が側方へ回動可能とされており、機体内部側に配置される駆動系や油圧系のメンテナンスが容易に行われるようになっている。グレンタンク１３の底部には、排出コンベア（図示せず）が前後方向に配設されており、この排出コンベアから前記穀粒排出装置１５に動力を伝達することで、穀粒排出装置１５に設けられた排出口１９から外部へグレンタンク１３内の穀粒を排出できるようにしている。前記穀粒排出装置１５は、主に、下端が前記排出コンベアと連通され穀粒を縦送りする前記縦排出オーガ１７と、この縦排出オーガ１７の上端に連通されて穀粒を横送りする横排出オーガ１８とからなり、グレンタンク１３の後側に立設された縦排出オーガ１７の上端に、横排出オーガ１８の基端側が上下回動可能に枢着されている。
【００１９】
また、図３に示すように、グレンタンク１３の前方には運転部１４が構成されており、該運転部１４後部には運転シート２１が配設され、左側にはサイドコラム２２が配置されている。該サイドコラム２２は前後方向に縦長の形状をしており、該サイドコラム２２上面の前部には、主変速レバー及び副変速レバーが配置されており、該サイドコラム２２上面の後部には脱穀クラッチレバー及び刈取クラッチレバーが配置されている。そして、運転シート２１の前方にフロントコラム２３が配置され、該フロントコラム２３上に操向ハンドル１６が配置されている。
【００２０】
次に、本発明に係る操向用ハンドルの構造について、図３乃至図６により説明する。
【００２１】
従来の回転式操向ハンドルは、その形状を略円形状としていたために、作業時において、運転者が運転シートに座って走行しながら運転部前方の刈取部を見て、圃場の穀桿の未刈部と刈取収穫物の流れを確認する場合、丸型ハンドルが運転者の視線の前方に位置し、視界を遮り作業しづらくなるといった問題もあった。具体的には、左旋回する際、図６に示すように、運転者の身長・姿勢によっては、従来の丸型ハンドル１６Ａを回すとハンドル前方部が邪魔になり運転部前方の刈取部３（特に右分草板４Ｒ）が見えず、穀桿等の刈り残しを視認・確認できないことがあった。特にコンバインの場合には、通例、刈取部３が左で運転シート２１が右に配置される構成のため、機体の左側に存在する未刈穀稈を順次刈り取っていくものであり、右分草板より右側へはみだした未刈穀稈は刈り残しとなってしまう。つまり、右分草板４Ｒが見えないと、刈り残しを発生させる恐れがある。
【００２２】
そこで、本発明は、視認性の優れた、特に、左旋回時に穀桿等の刈り残しが確認できるように、運転部前方の刈取部（特に右分草板）を視認・確認できるようにハンドル前方部を除去した構造の操向用ハンドルを提供する。
【００２３】
図４においては、二点鎖線のハンドル１６Ａは従来の丸型ハンドルを、実線のハンドル１６は本発明に係るハンドルを示してあり、それぞれ比較するため重ねている。ハンドルを、該ハンドルの前後方向の半分より略前方部を除去したものが、本発明に係るハンドル１６である。そして、図３に示すように、本発明に係るハンドル１６において、ハンドル前方部を除去して残ったハンドル握り部の左右両先端に張り出し部２５（本実施例では、ハンドル内側に向けて張り出している）を設ける構成としている。
【００２４】
該張り出し部２５には、後述するスイッチ２７や該スイッチを説明するイラスト２８や指（例えば親指）を置く溝２９等が設けられている。また、張り出し部２５からハンドル１６後部にかけての弧状の左右角部にふくらみ３１が形成されている。
【００２５】
結果として、操向ハンドルの前方部が除去されたことにより、運転者から見て前方、特に左旋回時は左前下方の視界が広くなるので、運転者が運転シート２１に座って走行しながらも運転部１４前方の刈取部３（詳しくは右分草板４Ｒ）を見て、最未刈部の刈取収穫物の流れを確認し易くなり、作業効率と安全性が向上するのである。また、ハンドル１６の左右前端部に設けられ、本実施例ではハンドル内側に張り出された張り出し部２５が、ハンドル１６操作時の手の抜け防止の効果を奏する。
【００２６】
次に、前記張り出し部の構成について説明する。詳しくは、該張り出し部２５に平面状のスペースを設け、該スペースに矩形状の凹みを設け、該凹みに警報器や刈取昇降用や操向微調整用等の各種作業機構の操作を行う作業スイッチ２７を配設する。この際、該スイッチ２７上端が断面視ハンドル１６本体より突出しないように構成する（図５参照）。このようにスイッチ２７上端が突出しないように構成するのは誤操作を防ぐためである。また、前記張り出し部２５の先端表面には該スイッチ２７の効果若しくは操作方法を示したイラスト２８や線や矢印や目盛り等を刻設したり印刷等を施している。
【００２７】
本実施例では、右側の張り出し部２５には、手動操作にて刈取部を昇降して刈り高さを任意に調節可能とする刈り取り高さ調節スイッチを具備させ、先端表面の該スイッチの説明イラストを印刷している。また、スイッチ２７の型若しくは形状については、つまみ式、ダイヤル式、押しボタン式等問わない。尚、張り出し部２５の場所（スイッチ２７の設置場所）は、運転者がコンバインに乗り込むときに誤って触らないようハンドル１６の握り部以外に設置する。また、スイッチ２７の設置場所は、ハンドル１６の左右張り出し部２５・２５の一方でも両方でも構わない。
【００２８】
以上のようにスイッチを配置したことにより、ハンドルを握りながら作業中に、ハンドルから手を離してサイドコラム上の作業レバーに手を移さなくても、ハンドルを握りながら作業スイッチを操作することにより、作業操作を容易にし作業の対応性を向上させることができる。
【００２９】
また、該張り出し部２５表面側方に親指を置く溝２９を形成させている。そこに親指を置き、他の指でハンドル１６の後ろから掴むことで、ハンドル１６をしっかり握ることができる。
【００３０】
また、本発明に係るハンドルには、図３及び図４に示すように、ハンドル１６の前後方向の半分より後方のハンドル１６の握り部において、左右角部に弧状のふくらみ３１・３１、つまり、その場所の径の太さＹを他の場所の（または従来の）ハンドル握り部の径の太さＸよりも大きく構成し、特に、ハンドル１６外側にふくらみ３１・３１をもたせるように構成している。
【００３１】
以上のように構成することにより、従来の丸型ハンドルに比べて、手の持つ位置を決めやすく、左手でサイドコラム２２上の作業レバーを操作しながら、右手によるハンドル操作を行う場合等においても、手がずれて操作を誤るといった操作ミスを防止できるのである。
【図面の簡単な説明】
【００３２】
【図１】本発明に係るコンバインの全体構成を示す側面図。
【図２】同じく平面図。
【図３】本発明に係るハンドルの説明図。
【図４】従来のハンドルと本発明のハンドルの比較図。
【図５】図３のＡ−Ａ断面図。
【図６】従来のハンドルを具備したコンバインの運転シートに着座したときの運転者の前方視点説明図。
【符号の説明】
【００３３】
３    刈取部
４    分草板
１６    ハンドル
１６Ａ    従来のハンドル
２５    張り出し部
２７    スイッチ
２８    イラスト
２９    指置き溝
３１    ふくらみ
【図１】
0004842595.tif 000002
【図２】
0004842595.tif 000003
【図３】
0004842595.tif 000004
【図４】
0004842595.tif 000005
【図５】
0004842595.tif 000006
【図６】
0004842595.tif 000007